(57)【要約】【課題】使用者の口腔および／または鼻腔の乾燥を長時間有効に防止するとともに、保水液がマスク本体の外側表面から揮散しにくく、使用時に煩雑な作業を伴わず、かつ、使用者の指を濡らしたりする恐れの少ないマスクを提供する。【解決手段】使用者の顔面の少なくとも一部を覆うための多層構造を有するマスク本体１１と、マスク本体１１の両側に設けられた耳掛け部とを備えたマスクであって、マスク本体１１は、保水液を５ｍｌ以上保持出来る吸水性シート１１４と、吸水性シート１１４の外側に、吸水性シート１１４中の保水液がマスク本体１１の外側表面から揮散するのを抑制する揮散抑制フィルム１１５を有することを特徴とするマスク。【選択図】図３
2015123197.tif 000002
【特許請求の範囲】
【請求項１】
使用者の顔面の少なくとも一部を覆うための多層構造を有するマスク本体と、該マスク本体の両側に設けられた耳掛け部とを備えたマスクであって、
該マスク本体は、
保水液を５ｍｌ以上保持出来る吸水性シートと、
該吸水性シートの外側に、該吸水性シート中の保水液が該マスク本体の外側表面から揮散するのを抑制する揮散抑制フィルムを有する、
ことを特徴とするマスク。
【請求項２】
前記揮散抑制フィルムが、前記吸水性シートの外側に、かつ前記吸水性シートと接するように積層されている請求項１に記載のマスク。
【請求項３】
前記揮散抑制フィルムが、前記吸水性シートの面積以上の大きさで重なっている請求項１または２に記載のマスク。
【請求項４】
前記マスク本体の吸水性シートの内側に、該吸水性シート中の保水液が該マスク本体の内側表面に滲出するのを抑制する多孔樹脂フィルムを積層している請求項１〜３のいずれか１項に記載のマスク。
【請求項５】
前記多孔樹脂フィルムが、以下の条件（ａ）、（ｂ）、（ｃ）および（ｄ）を満たす請求項４に記載のマスク。
（ａ）厚さ：０．３ｍｍ〜０．６ｍｍ
（ｂ）開口率：１５％〜４０％
（ｃ）浸透時間：１秒〜３秒
（ｄ）ウェットバック：０ｇ〜０．１ｇ
【請求項６】
前記吸水性シートが、吸水性ポリマーを含有する請求項１〜５のいずれか１項に記載のマスク。
【請求項７】
前記マスク本体の多層構造が、内側から外側に向かって、親水性不織布、前記多孔樹脂フィルム、前記吸水性シート、前記揮散抑制フィルムおよび撥水性不織布の順で積層されている請求項４〜６のいずれか１項に記載のマスク。
【請求項８】
前記マスク本体の多層構造が、内側から外側に向かって、親水性不織布、前記多孔樹脂フィルム、親水性繊維のシート、前記吸水性シート、前記揮散抑制フィルムおよび撥水性不織布の順で積層されている請求項４〜６のいずれか１項に記載のマスク。
【請求項９】
前記マスク本体が、使用時に前記マスクの外側に向かって膨らむように立体成形されてなる請求項１〜８のいずれか１項に記載のマスク。
【請求項１０】
請求項１〜９のいずれか１項に記載のマスクと、該マスクの吸水性シートに供給する保水液が収容された保水液供給体とを少なくとも含むマスクキット。
【請求項１１】
請求項１〜９のいずれか１項に記載のマスクの内側から、前記保水液供給体に収容された前記保水液を前記マスクの吸水性シート上に直接供給する工程を含む請求項１０に記載のマスクキットの使用方法。
【発明の詳細な説明】
【技術分野】
【０００１】
本発明は、使用者の口腔および／または鼻腔の乾燥を防止可能なマスクに関する。また本発明は、該マスクを用いたマスクキットおよびその使用方法に関する。
【背景技術】
【０００２】
従来、主に睡眠中の使用者の口腔および／または鼻腔の乾燥の防止を目的としたマスクが開発されている。例えば、特許文献１には、マスク本体に収容体を取り付け、この収容体の中に保水液を保持した吸収性コアを挿入してなるマスクが開示されている。
【０００３】
また、特許文献２には、保水性の高い織布又は不織布により形成した保水層の外面を、液浸透性の高い織布又は不織布で形成した液浸透層で覆うと共に、当該保水層の内面を液遮断性の高い織布又は不織布で形成した液遮断層で覆ってマスク用生地を形成すると共に、該マスク用生地を主体にして形成したマスク本体と、該マスク本体外面の液浸透層に殺菌性液体を噴霧して供給するための殺菌水供給部とを組合せて殺菌性マスクにしたことを特徴とする耐細菌性・耐ウイルス性のマスクが開示されている。
【０００４】
特許文献３には、通気性を有するシート状の部材によって着用者の鼻及び口を覆うマスク本体部が形成されており、着用時に前方に膨出した立体形状が保持されるように前記マスク本体部が形成されている立体マスクであって、前記マスク本体部は、その厚み方向中間部に吸水性ポリマーが用いられてなる吸水性シートが介装されており、しかも、内表面から前記吸水性シートまでの区間よりも外表面から前記吸水性シートまでの区間の方が高い透水性を有していることを特徴とする立体マスクが開示されている。
【０００５】
特許文献４には、メッシュシートに吸水ポリマーを内蔵したマスクが開示されている。
【０００６】
特許文献５には、積層構造を有するマスク用布であって、ポリテトラフルオロエチレン多孔質膜、および保湿性を有する織布または不織布を有することを特徴とするマスク用布と該マスク用布を用いた衛生マスクが開示されている。
【先行技術文献】
【特許文献】
【０００７】
【特許文献１】特許第４８３２１６６号公報
【特許文献２】実用新案登録第３１５４８５９号公報
【特許文献３】特開２０１０−３５５６３号公報
【特許文献４】実開平０２−９６１５７号公報
【特許文献５】特開２００７−２８２７２０号公報
【発明の概要】
【発明が解決しようとする課題】
【０００８】
しかしながら、特許文献１に開示された従来のマスクでは、口腔および／または鼻腔の乾燥の防止には役立つものの、マスクの外側表面から保水液が揮散し、保水時間が減少して使用者の口腔および／または鼻腔の乾燥の防止効果の持続時間が減じられ、また、収容体の中に保水液を保持した吸収性コアを挿入する作業に手間がかかったり、使用者の指を濡らしたりするという問題点があった。
【０００９】
また特許文献２に開示された従来のマスクは、保水層の外面が液浸透性の高い織布又は不織布で形成した液浸透層で覆われているため、マスクの外側表面から保水液が揮散し、保水時間が減少して使用者の口腔および／または鼻腔の乾燥の防止効果の持続時間が減じられるという問題点があった。
【００１０】
さらに特許文献３〜５に開示された従来のマスクにおいても、マスク中の保水液の保水時間の減少に対する対策が何ら講じられていないため、マスクの外側表面から保水液が揮散し、保水時間が減少して使用者の口腔および／または鼻腔の乾燥の防止効果の持続時間が減じられるという同様の問題点があった。
【００１１】
本発明は、上記問題点を解決するためになされたものであり、その目的は、使用者の口腔および／または鼻腔の乾燥を有効に防止するとともに、保水液がマスク本体の外側表面から揮散しにくく、使用時に煩雑な作業を伴わず、かつ、使用者の指を濡らしたりする恐れの少ないマスクおよび該マスクを用いたマスクキットを提供することにある。
【課題を解決するための手段】
【００１２】
上記の課題は、以下の手段により解決することができる。
１．使用者の顔面の少なくとも一部を覆うための多層構造を有するマスク本体と、該マスク本体の両側に設けられた耳掛け部とを備えたマスクであって、
該マスク本体は、
保水液を５ｍｌ以上保持出来る吸水性シートと、
該吸水性シートの外側に、該吸水性シート中の保水液が該マスク本体の外側表面から揮散するのを抑制する揮散抑制フィルムを有する、
ことを特徴とするマスク。
２．前記揮散抑制フィルムが、前記吸水性シートの外側に、かつ前記吸水性シートと接するように積層されている前記１に記載のマスク。
３．前記揮散抑制フィルムが、前記吸水性シートの面積以上の大きさで重なっている前記１または２に記載のマスク。
４．前記マスク本体の吸水性シートの内側に、該吸水性シート中の保水液が該マスク本体の内側表面に滲出するのを抑制する多孔樹脂フィルムを積層している前記１〜３のいずれか１項に記載のマスク。
５．前記多孔樹脂フィルムが、以下の条件（ａ）、（ｂ）、（ｃ）および（ｄ）を満たす前記４に記載のマスク。
（ａ）厚さ：０．３ｍｍ〜０．６ｍｍ
（ｂ）開口率：１５％〜４０％
（ｃ）浸透時間：１秒〜３秒
（ｄ）ウェットバック：０ｇ〜０．１ｇ
６．前記吸水性シートが、吸水性ポリマーを含有する前記１〜５のいずれか１項に記載のマスク。
７．前記マスク本体の多層構造が、内側から外側に向かって、親水性不織布、前記多孔樹脂フィルム、前記吸水性シート、前記揮散抑制フィルムおよび撥水性不織布の順で積層されている前記４〜６のいずれか１項に記載のマスク。
８．前記マスク本体の多層構造が、内側から外側に向かって、親水性不織布、前記多孔樹脂フィルム、親水性繊維のシート、前記吸水性シート、前記揮散抑制フィルムおよび撥水性不織布の順で積層されている前記４〜６のいずれか１項に記載のマスク。
９．前記マスク本体が、使用時に前記マスクの外側に向かって膨らむように立体成形されてなる前記１〜８のいずれか１項に記載のマスク。
１０．前記１〜９のいずれか１項に記載のマスクと、該マスクの吸水性シートに供給する保水液が収容された保水液供給体とを少なくとも含むマスクキット。
１１．前記１〜９のいずれか１項に記載のマスクの内側から、前記保水液供給体に収容された前記保水液を前記マスクの吸水性シート上に直接供給する工程を含む前記１０に記載のマスクキットの使用方法。
【発明の効果】
【００１３】
本発明のマスクは、マスク本体が、保水液を吸水する吸水性シートと、該吸水性シートの外側に、該吸水性シート中の保水液が該マスク本体の外側表面から揮散するのを抑制する揮散抑制フィルムとを少なくとも有している。この構成により、マスク本体の外側表面からの保水液の揮散が抑制されるとともに、吸水性シート中の保水液の保水時間が延長され、使用者の口腔および／または鼻腔の乾燥を長時間有効に防止できる。
【００１４】
また、本発明のマスクキットは、前記本発明のマスクと、該マスクの吸水性シートに供給する保水液を収容してなる保水液供給体とを少なくとも含む。この構成により、マスクの使用時に、保水液供給体を開封してその中に収容されている保水液をマスクの内側から、マスクの吸水性シート上に直接供給すればよいので、従来技術のように吸収性コアを収容体に挿入する等の煩雑な作業を必要とせず、また、使用者の指が濡れたりせず、衛生的にも優れている。
【００１５】
また、揮散抑制フィルムが吸水性シートの外側に、かつ吸水性シートと接するように積層されている形態によれば、マスク本体の外側表面からの保水液の揮散の抑制効果、吸水性シート中の保水液の保水時間の延長効果をさらに高めることができる。
【００１６】
また、揮散抑制フィルムが吸水性シートの面積以上の大きさで重なっている形態によれば、保水液の揮散の抑制効果をさらに高めることができる。
【００１７】
また、マスク本体中の吸水性シートの内側に、多孔樹脂フィルムを積層している形態によれば、マスク本体の内側表面から保水液が滲出することが抑制され、快適性に優れる。
【００１８】
また、マスク本体中の吸水性シートが吸水性ポリマーを含有する形態によれば、吸水性シート中の保水液の保持量を増量することが出来るため、使用者の口腔および／または鼻腔の乾燥を長時間有効に防止できる。
【００１９】
また、マスク本体の内側から外側に向かって、親水性不織布、前記多孔樹脂フィルム、前記吸水性シート、前記揮散抑制フィルムおよび撥水性不織布の順で積層されている形態、またはマスク本体の内側から外側に向かって、親水性不織布、前記多孔樹脂フィルム、親水性繊維のシート、前記吸水性シート、前記揮散抑制フィルムおよび撥水性不織布の順で積層されている形態によれば、上記した本発明の効果に加えて、使用者の口元への保水液の接触が防止され、また、マスク本体の耐久性が向上するため、マスクの製造時の破損等が防止され生産性が向上する。
【００２０】
また、マスク本体が立体成形されている形態によれば、使用者の口元に空間が生じるので、長時間装着しても快適性に優れる。
【図面の簡単な説明】
【００２１】
【図１】図１は、本発明の実施形態に係るマスクの正面図である。
【図２】図２は、図１に示すマスクのプリーツを展開した状態を示す説明図である。
【図３】図３は、図１のマスクの一部拡大断面図である。
【図４】図４（ａ）および図４（ｂ）は、特に好適な図１のマスクの一部拡大断面図である。
【図５】図５は、本発明のマスクキットの一実施形態を説明するための図である。
【図６】図６は、本発明のマスクキットの使用方法の一実施形態を説明するための図である。
【図７】図７は、保水液の保持時間および効果の持続時間の確認試験におけるマスクの質量変化を示すグラフである。
【図８】図８は、保水液の保持時間および効果の持続時間の確認試験におけるマスク内の相対湿度の変化を示すグラフである。
【発明を実施するための形態】
【００２２】
以下、本発明の実施形態を図面を参照しながら詳細に説明する。
【００２３】
図１は、本発明の実施形態に係るマスク１０の正面図である。図１に示すように、このマスク１０は、使用者の顔面の一部（例えば、口や鼻孔の周辺）を覆うためのマスク本体１１と、このマスク本体１１の両側に設けられた細紐で構成される耳掛け部１２とを備えている。
【００２４】
図１に示すマスク１０はいわゆる「プリーツ加工型」と呼ばれる形態のものであり、マスク本体１１は、複数（図１では４本）の横方向の折り目１４から形成されるプリーツ１６を有している。プリーツ１６は、図１に示す状態では２つの略Ω字状に折り畳まれており、プリーツ１６を展開すると、図２に示すようにマスク１０の外側に向かって膨らむ立体形状となるように構成されている。このように、本実施形態ではマスク本体１１がプリーツ加工されているので、使用者の口元に空間が生じ、長時間装着しても快適性に優れ、また呼吸や会話の妨げになり難くなる。
【００２５】
図３は、図１のマスク１０の一部拡大断面図（Ｘ−Ｘ断面図）である。図３において、本実施形態のマスク本体１１は、多層構造を有しており、マスク１０の内側表面（顔面に触れる内側の面）から外側表面（該内側表面とは反対側の面）に向かって、吸水性シート１１４と揮散抑制フィルム１１５がこの順で積層され、形成されている。
【００２６】
吸水性シート１１４は、保水液Ｗを吸水しかつ使用者の口腔および／または鼻腔に水分を供給するシートである。また揮散抑制フィルム１１５は、吸水性シート１１４中の保水液Ｗがマスク本体１１の外側表面から揮散するのを抑制するフィルムである。吸水性シート１１４および揮散抑制フィルム１１５を少なくとも有するマスク１０は、前述のような本発明の効果、すなわちマスク本体１１の外側表面からの保水液Ｗの揮散を抑制し、吸水性シート１１４中の保水液Ｗの保水時間を延長し、使用者の口腔および／または鼻腔の乾燥を長時間有効に防止できるという効果を奏する。
【００２７】
前記の吸水性シート１１４および揮散抑制フィルム１１５について説明する。先ず吸水性シート１１４は、マスク１０の中央付近に配置され、マスク１０の使用時に後述の保水液Ｗを吸水して、使用者の口腔や鼻腔に水分を供給するためのものである。数時間に亘って十分な水分を口腔や鼻腔に供給するには後述の保水液Ｗを５ｍｌ以上保持できることが好ましく、７ｍｌ以上保持できることがより好ましく、１０ｍｌ以上保持できることがとくに好ましい。
【００２８】
吸水性シート１１４の繊維素材としては、例えば、親水性繊維、並びに親水性繊維および合成繊維の混紡が挙げられる。親水性繊維としては、例えば、パルプ、レーヨンおよびコットンなどが挙げられる。合成繊維としては、例えば、ポリプロピレン、ポリエチレンおよびポリエステルなどが挙げられる。吸水性シート１１４の繊維素材は親水性繊維のみであってもよいが、生産性および加工性の観点から親水性繊維および合成繊維の混紡とすることが好ましく、特にパルプとポリプロピレンからなる混紡とすることがより好ましい。パルプ：ポリプロピレンの割合は４０：６０〜９９：１（質量比）が好ましく、５０：５０〜８０：２０がより好ましい。このような吸水性シート１１４の製法としては、例えば、エアレイド法などが挙げられる。
【００２９】
吸水性シート１１４の目付は、８０〜５００ｇ／ｍ２であることが好ましく、９０〜３００ｇ／ｍ２であることがさらに好ましい。目付が８０ｇ／ｍ２より小さいと、保水液Ｗを十分に保持することができない。また、目付が５００ｇ／ｍ２より大きいと、シートが厚くなりすぎて、マスク１０の製造時に支障が生じるおそれがある。
【００３０】
吸水性シート１１４の面積は、例えばマスク１０を立体形状にして使用する場合、例えば、１００〜２００ｃｍ２であることが好ましく、１００〜１５０ｃｍ２であることがより好ましい。また、吸水性シート１１４の寸法としては、具体的には、例えば、横方向に７〜２０ｃｍ、縦方向に４〜１２ｃｍが好ましく、横方向に１０〜１８ｃｍ、縦方向に５〜１０ｃｍがより好ましい。なお、吸水性シート１１４の面積は、マスク本体１１の面積よりも小さく設定することができる。また、吸水性シート１１４の厚さとしては、後述の保水液Ｗを５ｍｌ以上保持するために、０．４ｍｍ以上であればよいが、プリーツ加工等のマスク製造時の生産性の観点から、０．４〜０．９ｍｍが好ましく、０．５〜０．８ｍｍがより好ましい。
【００３１】
吸水性シート１１４は、そのまま単層で使用することもできるが、耐久性の観点から、上記の繊維素材からなるシートをシートまたは不織布で挟んだ３層構造とすることが好ましく、更には耐久性および保水性の観点から、内側（口側）を親水性繊維のシートとし、外側を撥水性繊維の不織布として上記の繊維素材からなるシートを挟んだ３層構造とすることがより好ましい。
【００３２】
親水性繊維としては、例えば、パルプ、レーヨンおよびコットンなどが挙げられ、好ましくはパルプである。
【００３３】
内側（口側）をパルプのシートにすると、製造が容易になり、また簡単に着色出来ることから保水液Ｗを供給する際の目印になるという利点がある。また外側をポリエステルの不織布にすると、シートの形状保持に優れ、更に濡れおよびべたつきを防止できるという利点がある。このような複数層の吸水性シート１１４の製法としては、例えば、エアレイド法などにより製造することができる。
【００３４】
更に、吸水性シート１１４は、上記の撥水性繊維の不織布に換えて後述の揮散抑制フィルム１１５と親水性繊維のシートで挟んだ３層構造とすることも可能である。この場合、揮散抑制フィルム１１５が吸水性シート１１４と直接に接するため、保水液Ｗがマスク本体１１の外側表面から揮散するのをより効率的に抑制することができる。
【００３５】
また、吸水性シート１１４は、吸水性ポリマーを含有することも可能である。吸水性ポリマーとしては、公知のポリマーから適宜選択すればよいが、例えば、デンプン、セルロース、ポリアクリル酸、ポリビニルアルコール、ポリオキシエチレン、これらの変性物、これらの架橋物等が挙げられる。さらに具体的には、例えば、ポリアクリル酸ナトリウム架橋体、アクリル酸ナトリウム−ビニルアルコール共重合体、アクリル酸メチル共重合体ケン化物、アクリル酸メチル−酢酸ビニル共重合体ケン化物、ポリアクリロニトリル系重合体ケン化物、澱粉−アクリロニトリルケン化物、澱粉−アクリロニトリルグラフト重合体、澱粉−アクリル酸グラフト重合体、澱粉−スチレンスルホン酸グラフト重合体、澱粉−ビニルスルホン酸グラフト重合体、澱粉−アクリルアミドグラフト重合体、ポリビニルアルコール架橋重合体、ヒドロキシエチルメタクリレートポリマー、ポリエチレングリコール・ジアクリレート架橋重合体、架橋ポリエチレンオキサイド、カルボキシメチルセルロース等が挙げられる。
【００３６】
これらの吸水性ポリマーは、吸水性シート１１４中に、例えば０．０１〜５ｇ、好ましくは０．１〜１ｇの範囲で含有することができる。
吸水性シート１１４に吸水性ポリマーを含有することで、吸水性シート１１４中の保水液Ｗの保持量を増量することが出来るため、使用者の口腔および／または鼻腔の乾燥を長時間有効に防止できる。
【００３７】
次に、揮散抑制フィルム１１５について説明する。揮散抑制フィルム１１５は、吸水性シート１１４中の保水液Ｗがマスク本体１１の外側表面から揮散するのを抑制するフィルムであり、揮散抑制フィルム１１５を吸水性シート１１４の外側に積層することにより、マスク本体１１の外側表面からの保水液Ｗの揮散が抑制されるとともに、吸水性シート１１４中の保水液Ｗの保水時間が延長され、使用者の口腔および／または鼻腔の乾燥を長時間有効に防止できる。
【００３８】
揮散抑制フィルム１１５としては、水分子の通過を抑制出来るものであれば特に限定されないが、例えばポリエチレンテレフタレートフィルム、ポリプロピレンフィルム、ポリエチレンフィルム等が挙げられ、本発明の効果向上の観点から、ポリプロピレンフィルム、ポリエチレンフィルムが好ましい。
【００３９】
揮散抑制フィルム１１５の厚さは、マスクの一般的な製造で使用可能な程度の厚さ（硬さ）であれば特に限定されない。
【００４０】
また、揮散抑制フィルム１１５は、吸水性シート１１４の面積以上の大きさで重なるようにして積層されているのが好ましい。なお、揮散抑制フィルム１１５をマスク本体１１全体に積層すると、マスク本体１１の通気性が乏しくなる場合がある。なお、マスク本体１１の通気性を向上させたい場合、揮散抑制フィルム１１５は、吸水性シート１１４の面積以下の大きさで重なるようにして積層されていてもよい。
【００４１】
また本発明のマスク１０は、マスク本体１１の吸水性シート１１４の内側（口側）に、吸水性シート１１４中の保水液がマスク本体１１の内側表面に滲出する（ウェットバック）のを抑制する、図４（ａ）および（ｂ）に示すような多孔樹脂フィルム１１２を積層していることが好ましい。この形態によれば、使用者の口元に保水液が滲出することに伴う不快感を防止することができる。なお、本発明における多孔樹脂フィルム１１２とは、一方向のみに透水性を有するフィルムを意味しており、本発明のマスク１０の場合、マスク本体１１の内側（口側）から外側への方向に対しては透水性を有するが、逆に外側から内側（口側）への方向に対しては不透水性の構造を有するものである。この目的を達成するために、多孔樹脂フィルム１１２は、以下の条件（ａ）、（ｂ）、（ｃ）および（ｄ）を満たすことが好ましい。
（ａ）厚さ：０．３ｍｍ〜０．６ｍｍ
（ｂ）開口率：１５％〜４０％
（ｃ）浸透時間：１秒〜３秒
（ｄ）ウェットバック：０ｇ〜０．１ｇ
【００４２】
（ａ）厚さとは、マスク本体１１の内側から外側に向かって、マスク本体１１の平面と直交する方向の長さである。
【００４３】
（ｂ）開口率とは、フィルム表面全体に占める孔の割合（％）を表わす。全く孔が無いフィルムの場合、開口率は０％となる。
【００４４】
（ｃ）浸透時間は、ＥＤＡＮＡ（欧州不織布協会）１５０．５−０２に従って測定され、開口部から水を垂らしたとき、開口部の下から水が出てくる時間（秒）を表わす。
【００４５】
（ｄ）ウェットバックは、ＥＤＡＮＡ（欧州不織布協会）１５１．３−０２に従って測定され、一度水を染み込ませた吸水性シートの上にフィルムを乗せ、更にその上から荷重をかけた際に、溢れてきた水の量（グラム）を表わす。
【００４６】
多孔樹脂フィルム１１２は、市販品を用いることができ、例えば、ポリエチレンまたはポリプロピレン等のオレフィン系の熱可塑性樹脂フィルムをエンボス加工したものが好適に使用されるが、ポリエステルまたはナイロンなどのポリアミド系樹脂、ＥＶＡなども使用することができる。
【００４７】
マスク本体１１の寸法としては、顔のサイズを考慮して適宜決定すればよい。マスク本体１１には、例えば、前記の吸水性シート１１４、揮散抑制フィルム１１５および多孔樹脂フィルム１１２以外にも、織布または不織布を用いることもできる。好ましくはスパンボンド法、メルトブロー法、サーマルボンド法またはスパンレース法による不織布、より好ましくは保形性の観点からスパンボンド法による不織布でマスク本体１１を構成することができる。
【００４８】
前記織布及び不織布を構成する繊維素材は公知のものを選択することができ、例えば、紙、レーヨンおよびコットン等の天然繊維、ポリプロピレン、ポリエチレンおよびポリエステル等の合成繊維とすることができる。また、生産性の観点から、ポリプロピレンまたはポリエチレンが好ましく、保形性の観点からポリプロピレンがより好ましい。
【００４９】
マスク本体１１を前記の吸水性シート１１４、揮散抑制フィルム１１５および多孔樹脂フィルム１１２と共に２枚以上の織布または不織布を用いて形成する場合、これらは、例えば、縫製、超音波溶着または熱融着により形成することができる。また、折り目により、少なくとも１つのプリーツ（襞）を形成することができ、これによってマスク本体１１が外側に向かって膨らむように立体成形され、種々の顔の大きさに対応する。
【００５０】
図４（ａ）および（ｂ）は、とくに好適な形態である図１のマスク１０の一部拡大断面図（Ｘ−Ｘ断面図）である。図４（ａ）において、本実施形態のマスク本体１１ａは、マスク１０の内側（顔面に触れる側）から外側（顔面に触れる側とは反対側）に向かって、親水性不織布１１１、多孔樹脂フィルム１１２、吸水性シート１１４、揮散抑制フィルム１１５および撥水性不織布１１６の順で積層して形成されてなる。また、図４（ｂ）において、本実施形態のマスク本体１１ｂは、マスク１０の内側から外側に向かって、親水性不織布１１１、多孔樹脂フィルム１１２、親水性繊維のシート１１３、吸水性シート１１４、揮散抑制フィルム１１５および撥水性不織布１１６の順で積層して形成されてなる。
【００５１】
図４（ａ）および（ｂ）に示すように、本発明のマスク１０において、揮散抑制フィルム１１５の外側に、撥水処理された不織布１１６を積層していることが好ましい。これにより、揮散抑制フィルム１１５の破損等が防止され耐久性が向上し、また保水液Ｗが外側表面から滲出することを抑制して快適性に優れるなどの効果がある。
【００５２】
撥水処理された不織布１１６としては、通常マスクに使用される不織布に、後述の撥水剤を適用することで調製できるが、撥水性を備えているポリエステル系繊維、ポリプロピレン系繊維、またはポリエチレン系繊維からなる不織布をそのまま用いることが好ましい。
【００５３】
不織布に撥水性を付与する場合は、撥水剤を前記不織布に添着・塗布する方法が挙げられる。撥水剤としては、人体に対して安全性の高い材料であれば周知のものを使用することができるが、皮膚に対し刺激が少ないものを使用することがより好ましい。またポリエステル系繊維、ポリプロピレン系繊維、またはポリエチレン系繊維からなる不織布は撥水性を備えているので、撥水処理を行わずにそのまま使用することも可能である。
【００５４】
具体的な撥水剤としては、例えば、フッ素系樹脂を含むフッ素系撥水剤、シリコン系樹脂を含むシリコン系撥水剤、パラフィン系撥水剤およびワックス系撥水剤などが挙げられ、中でもフッ素系撥水剤を使用することが好ましい。フッ素系撥水剤としては、例えば、フッ素樹脂エマルションおよびフッ素樹脂水溶液などが挙げられる。また、撥水剤としては、液状または粉末状などの種々の形態のものを使用できる。
【００５５】
撥水剤による処理方法としては、特に限定されず、スプレー、ロール若しくは刷毛などの手段による塗布または含浸などの適宜の方法で前記不織布材料に添着・塗布することができる。処理条件としては、例えば撥水剤としてフッ素系撥水剤を使用した場合、処理温度は通常２０℃から７０℃、好ましくは２０℃から４０℃、処理時間は、用いる材料の大きさまたは処理方法にもよるが、通常数秒から数分程度で十分ある。なお、撥水剤の使用量は当業者が適宜設定することができる。また、撥水剤の添着・塗布後、適宜乾燥させることが好ましい。乾燥工程としては、通常１００℃から１７０℃で１０秒から５分乾燥するが、好ましくは１００℃から１２０℃で１０秒から５分乾燥し、更に１５０℃から１７０℃で１０秒から５分乾燥する二段階乾燥がよい。
【００５６】
また図４（ａ）および（ｂ）に示すように、本発明のマスク１０において、さらに多孔樹脂フィルム１１２の内側に、親水処理された不織布１１１を積層していることが好ましい。これにより、保水液Ｗの供給に影響することなく、多孔樹脂フィルム１１２の破損等が防止され耐久性が向上し、また使用（装着）感が向上するなどの効果がある。
【００５７】
親水処理された不織布１１１としては、ガーゼや親水性の不織布をそのまま用いるか、撥水性の不織布に親水剤を適用して親水性を保持させて用いることでもよい。親水剤としては、例えば、脂肪酸グリセライド、アルコキシ化アルキルフェノール、ポリオキシアルキレン脂肪酸エステル、アルキルポリオキシエチレンアルコール、脂肪酸アミド等の非イオン界面活性剤や、脂肪酸塩、アルキル硫酸エステル塩、アルキルベンゼンスルホン酸塩、アルキルナフタレンスルホン酸塩、ジアルキルスルホコハク酸塩等の界面活性剤が挙げられる。
【００５８】
また、耳掛け部１２の材料としては、例えば、ポリエステル系繊維、レーヨン系繊維、ナイロン系繊維、ポリウレタン系繊維、ガーゼ、紙および透湿性樹脂シートなどが挙げられる。
【００５９】
更に、本発明のマスク１０には目的に応じてマウスバーやノーズフィッターを設けることができる。マウスバーは、マスク１０の立体形状を維持するためにマスク本体１１の中央部に設けられ、ノーズフィッターは、マスク１０を使用者の鼻に密接させるためにマスク本体１１の上辺部分に設けられる。マウスバーやノーズフィッターとしては、金属製、ポリエチレン製またはポリプロピレン製などから形成されるテープを使用することができる。
【００６０】
更に、本発明のマスク１０には、細菌・ウイルス飛沫や花粉等の侵入を防止するためのメルトブロー不織布や、細菌の増殖を抑えるための抗菌性シートなどを積層することもできる。
【００６１】
図５は、本発明のマスクキット１００の一実施形態を説明するための図である。また、図６は、本発明のマスクキット１００の使用方法の一実施形態を説明するための図である。本発明のマスクキット１００は、前記のマスク１０と、マスク１０の吸水性シート１１４に供給する一定量の保水液Ｗを収容してなる保水液供給体２０とを少なくとも含む。
【００６２】
保水液供給体２０としては、例えば、供給袋や供給容器等が挙げられる。供給袋としては、例えば、２枚のプラスチックフィルムの四方Ａ、Ｂ、Ｃ、Ｄをシールし、内部に一定量の保水液Ｗを収容可能とする収容スペース２０２が形成されている供給袋が挙げられる。また、この収容スペース２０２の上部に注ぎ口２０２２を設け、好適にはノッチＮを形成しておくことにより、図６に示すように、使用者の手によって簡単に注ぎ口２０２２を開封して、内部の保水液Ｗを吸水性シート１１４に供給することができる。
【００６３】
また、供給容器は、例えば、ポリエチレン、ポリエチレンテレフタレートまたはポリプロピレン製であるフレキシブルタイプの（柔軟性のある）プラスチック容器が挙げられ、該プラスチック容器上部に形成した注ぎ口を軽くひねるだけで簡単に開口して内部の保水液Ｗを吸水性シート１１４に供給することができる。
【００６４】
吸水性シート１１４に保持される保水液Ｗは、人体に安全であるとともに、使用者の口腔および／または鼻腔の乾燥を有効に防止する液体であればとくに制限されない。保水液Ｗは、水であってもよく、または水を主成分とし、水以外の成分を配合することもできる。
【００６５】
水以外の成分としては、メチルパラベン、プロピルパラベンまたはフェノキシエタノールなどの防腐剤、ヒアルロン酸塩またはベタインなどの保湿剤、植物エキス、キサンタンガム、ヒドロキシプロピルメチルセルロース（ＨＰＭＣ）、ヒドロキシエチルセルロース（ＨＥＣ）、ヒドロキシプロピルセルロース（ＨＰＣ）、寒天、グアーガムまたはカラギーナンなどの水溶性増粘剤、ユーカリまたはミントなどの香料、香料を可溶化する界面活性剤（例えば、ノニオン性界面活性剤、両性界面活性剤またはアニオン性界面活性剤）などが挙げられる。
【００６６】
保水液供給体２０に収容される保水液Ｗの容量は、５ｍｌ以上が好ましく、７ｍｌ以上がより好ましく、１０ｍｌ以上がとくに好ましい。なお、保水液Ｗは、マスク本体１１の内側からマスク１０の吸水性シート１１４上に直接供給する。
【００６７】
このような構成によれば、睡眠中の使用者の口腔および／または鼻腔の乾燥を長時間有効に防止するとともに、保水液Ｗがマスク本体１１の外側表面から揮散しにくく、使用時に煩雑な作業を伴わず、かつ、使用者の指を濡らしたりする恐れの少ないマスク１０および該マスク１０を用いたマスクキット１００を提供することができる。
【実施例】
【００６８】
以下、本発明を実施例および比較例により更に説明するが、本発明は下記例に制限されるものではない。
【００６９】
〔実施例１〕
以下に示すようなプリーツ型のマスク本体１１（１７５ｍｍ×１７５ｍｍ）を調製した。すなわち、マスクの内側から外側に向かって、親水性不織布１１１、多孔樹脂フィルム１１２、親水性繊維のシート１１３、吸水性シート１１４、揮散抑制フィルム１１５、マウスバーおよび撥水性不織布１１６の順で積層した後、プリーツ加工を行ってマスク本体１１を調製した。調製したマスク本体１１に、ポリエステル系繊維からなる耳かけ部１２を設けて本発明のマスク１０を得た。
【００７０】
親水性不織布１１１として、ポリプロピレン不織布を用いた。サイズはマスク本体１１と同じサイズ、すなわち１７５ｍｍ×１７５ｍｍとした。
多孔樹脂フィルム１１２として、１７５ｍｍ×１７５ｍｍのポリエチレンフィルム（厚さ：０．４ｍｍ、開口率：３４％、浸透時間：２．２秒、ウェットバック：０．０６ｇ）を用いた。
親水性繊維のシート１１３として、パルプ・ポリプロピレン（８０：２０）の不織布のシートを用いた。
吸水性シート１１４として、８０ｍｍ×１７５ｍｍのパルプ：ポリプロピレン＝８０：２０（質量比）のシート（目付け：９０ｇ／ｍ２、厚さ：０．５ｍｍ）を用いた。
揮散抑制フィルム１１５として、ポリエチレンフィルム（目付：２２．５ｇ／ｍ２）を用いた。サイズは吸水性シート１１４と同じサイズ、すなわち８０ｍｍ×１７５ｍｍとし、吸水性シート１１４と重なり合うように積層した。
マウスバーとして、ポリプロピレン製テープを用いた。
撥水性不織布１１６として、１７５ｍｍ×１７５ｍｍのポリプロピレン不織布を用いた。
【００７１】
（濡れ評価試験）
実施例１で得られたマスク１０の内側表面から、吸水性シート１１４上に、保水液としての水を５．５ｍｌ供給し、１０秒間放置した後、外側表面および内側表面を目視および指触し、濡れの程度を評価した。その結果、内側表面および外側表面ともに、ウェットバックおよび水の滲み出が無く、サラサラしていた。
【００７２】
〔比較例１〕
マスクの外側から内側に向かって、親水処理ポリプロピレン不織布、ポリプロピレン不織布、マウスバー（ポリプロピレン製テープ）、パルプ・ポリプロピレン（８０：２０）シートからなる吸水性シート、ポリエチレンフィルムからなる多孔樹脂フィルム、親水処理ポリプロピレン不織布の順で積層して、揮散抑制フィルムを積層していないプリーツ型マスク本体を調製した。調製したマスク本体に、ポリエステル系繊維からなる耳かけ部を設けてマスクを得た。
【００７３】
（保水液の保持時間および効果の持続時間の確認試験）
実施例１および比較例１で得られたマスクの内側表面から、吸水性シート上に水を５．５ｍｌ供給した後、約１０ｍ２の室内（室温２２℃、相対湿度３１．６％ｒｈ）の中央に設置した保温器具（保温器具の表面温度は約３３℃）の表面に各マスクを立体型にして貼り付け、マスクの質量変化およびマスク内の相対湿度の変化を３０分間隔で測定した。その結果を図７（マスクの質量変化）、図８（マスク内の相対湿度）に示す。
【００７４】
図７の結果より、実施例１の本発明のマスクは、比較例１のマスクに比べて、長時間にわたりその質量が維持されている。すなわち、マスク本体の外側表面からの保水液の揮散が抑制されるとともに、吸水性シート中の保水液の保水時間が延長されていることが証明された。
【００７５】
また、図８の結果より、実施例１の本発明のマスクは、比較例１のマスクに比べて、長時間にわたり高い相対湿度が維持されている。すなわち、使用者の口腔および／または鼻腔の乾燥を長時間有効に防止できることが証明された。
【符号の説明】
【００７６】
１０  マスク
１１  マスク本体
１４  折り目
１６  プリーツ
１１１  親水性不織布
１１２  多孔樹脂フィルム
１１３  親水性繊維のシート
１１４  吸水性シート
１１５  揮散抑制フィルム
１１６  撥水性不織布
１２  耳掛け部
２０  保水液供給袋
１００  マスクキット
２０２  収容スペース
２０２２  注ぎ口
Ｗ  保水液
【図１】
2015123197.tif 000003
【図２】
2015123197.tif 000004
【図３】
2015123197.tif 000005
【図４】
2015123197.tif 000006
【図５】
2015123197.tif 000007
【図６】
2015123197.tif 000008
【図７】
2015123197.tif 000009
【図８】
2015123197.tif 000010